(57)【要約】【課題】  従来のミシン目のある破断線を有するクリーナー用粘着式ローラーでは、ミシン目の最後まで行き着かずに、ミシン目の途中で粘着シートがミシン目の方向とは別の方向に切断されてしまう場合があった。これは、比較的強い力で粘着シートを引き離す必要があるためである。【解決手段】  カーペットやフローリング等のゴミやホコリを取るためのクリーナー用粘着式ローラーにおいて、ミシン目のない破断線を有するものである。【選択図】図１
2013180194.tif 000002
【特許請求の範囲】
【請求項１】
カーペットやフローリング等のゴミやホコリを取るためのクリーナー用粘着式ローラーにおいて、ミシン目のない破断線を有することを特徴とする一皮方式破断線付きクリーナー用粘着式ローラー。
【請求項２】
請求項１の一皮方式破断線付きクリーナー用粘着式ローラーにおいて、ミシン目のない破断線を製作するために、１ｍ２当たり２８〜７５ｇの紙に、厚さ１０〜２５ミクロンのポリエチレン系フィルムをラミネートし、上記のポリエチレン系フィルムの裏面にシリコン系又は非シリコンの系剥離剤を１〜０．０１ミクロンの厚さに塗布し、さらに上記の紙の表面に１ｍ２当たり１０〜５０ｇのホットメルト又はその他の粘着剤を塗布した後、上記の紙の厚さ分及びポリエチレン系フィルムの厚さの半分まで切込みを入れ、ポリエチレン系フィルムの一皮を残した状態にすることを特徴とする一皮方式破断線付きクリーナー用粘着式ローラーの製造方法。
【請求項３】
請求項１の一皮方式破断線付きクリーナー用粘着式ローラーにおいて、一皮方式破断線付きクリーナー用粘着式ローラーの巻き方向に対し、等間隔に一皮方式破断線を入れるのではなく、一皮方式破断線付きクリーナー用粘着式ローラーの巻き数に比例した円周長に任意の長さを追加した長さの間隔で、一皮方式破断線を入れることを特徴とする一皮方式破断線付きクリーナー用粘着式ローラー。
【請求項４】
請求項１の一皮方式破断線付きクリーナー用粘着式ローラーにおいて、一皮方式破断線付きクリーナー用粘着式ローラーの巻き方向に対し、等間隔に一皮方式破断線を入れるのではなく、一皮方式破断線付きクリーナー用粘着式ローラーの巻き数に比例した円周長から任意の長さだけ短くした長さの間隔で、一皮方式破断線を入れることを特徴とする一皮方式破断線付きクリーナー用粘着式ローラー。
【発明の詳細な説明】
【技術分野】
【０００１】  この発明はカーペットやフローリング等のゴミやホコリを取るためのクリーナー用粘着式ローラーのミシン目に関するものである。
【背景技術】
【０００２】  従来この種のクリーナー用粘着式ローラーのミシン目は、点線又は鎖線で一直線又は階段状に切り目を入れ、はっきりとしたミシン目のある破断線を有するものである。また、これらのミシン目を入れる際にクリーナー用粘着式ローラーの上から点線刃や鎖線刃を差し込んで切り目を入れる製造方法や粘着シートに点線や鎖線を付けた後に、クリーナー用粘着式ローラーとして巻き取る製造方法が主体であった。
【発明の開示】
【発明が解決しようとする課題】
【０００３】  従来のミシン目のある破断線を有するクリーナー用粘着式ローラーでは、ミシン目の最後まで行き着かずに、ミシン目の途中で粘着シートがミシン目の方向とは別の方向に切断されてしまう場合があった。このようにミシン目の途中で粘着シートがミシン目の方向とは別の方向に切断されると、切り残った粘着シートを剥がすのが困難で手間がかかると共に、粘着シートに貼り付いたゴミやホコリを直接手で触って除去せざるを得ないため、非常に不衛生であった。ミシン目のある破断線を有するクリーナー用粘着式ローラーでは、比較的強い力で粘着シートを引き離す必要があるため、途中でミシン目の方向とは別の方向に切断されてしまうことがある。そこで、ミシン目のない破断線を発明する必要がある。
【課題を解決するための手段】
【０００４】  本発明は、上記の課題を解決するために考案したもので、ミシン目のない破断線を有するものである。【０００５】  また、ミシン目のない破断線を製作するために、１ｍ２当たり２８〜７５ｇの紙に、厚さ１０〜２５ミクロンのポリエチレン系フィルムをラミネートし、上記のポリエチレン系フィルムの裏面にシリコン系又は非シリコンの系剥離剤を１〜０．０１ミクロンの厚さに塗布し、さらに上記の紙の表面に１ｍ２当たり１０〜５０ｇのホットメルト又はその他の粘着剤を塗布した後、上記の紙の厚さ分及びポリエチレン系フィルムの厚さの半分まで切込みを入れ、ポリエチレン系フィルムの一皮を残した状態にするものである。【０００６】  さらに、一皮方式破断線付きクリーナー用粘着式ローラーの巻き方向に対し、等間隔に一皮方式破断線を入れるのではなく、一皮方式破断線付きクリーナー用粘着式ローラーの巻き数に比例した円周長に任意の長さを追加した長さの間隔で、一皮方式破断線を入れるものである。【０００７】  同じようにして、一皮方式破断線付きクリーナー用粘着式ローラーの巻き方向に対し、等間隔に一皮方式破断線を入れるのではなく、一皮方式破断線付きクリーナー用粘着式ローラーの巻き数に比例した円周長から任意の長さだけ短くした長さの間隔で、一皮方式破断線を入れるものである。
【発明の効果】
【０００８】  本発明によるミシン目のない破断線は、ポリエチレン系フィルムの一皮を残した状態となるため、わずかな力で粘着シートを破断させることができる。粘着シートを破断させるための破断力を小さくすることにより、粘着シートに無理な力がかからずスムーズに粘着シートを破断させることになる。【０００９】  また、請求項３及び請求項４に記載するとおり、一皮方式破断線付きクリーナー用粘着式ローラーの巻き方向に対し、等間隔に一皮式は断線を入れる場合は、クリーナー用粘着式ローラーの巻き数以上の数の破断線を入れなければ、そのクリーナー用粘着式ローラーの巻き数に達しないのに対し、本発明では、クリーナー用粘着式ローラーの巻き数と同じ数の破断線を入れることにより、クリーナー用粘着式ローラーの巻き数に達することができる。さらに、破断線の巻き取り位置がクリーナー用粘着式ローラーの円周方向にずれるため、破断線の位置が重ならず、円周方向の変形を防止することができる。
【発明を実施するための最良の形態】
【００１０】  以下、本発明の一皮方式破断線付きクリーナー用粘着式ローラー及びその製造方法における最良の形態について、図面を参照して説明する。
【実施例１】
【００１１】  図１は、ミシン目のない破断線を有することを特徴とする一皮方式破断線付きクリーナー用粘着式ローラーの粘着シートの一皮方式破断線の断面を示す拡大図である。１はホットメルト又はその池の粘着剤の塗布面、２は紙、３はポリエチレン系フィルム、４はシリコン系又は非シリコン系剥離剤の塗布面、５は切り込みを示す。こうすることにより、ポリエチレン系フィルムの一部が一皮残る状態となり、わずかな力で粘着シートを破断することが可能となる。
【実施例２】
【００１２】  図２は、一皮方式破断線付きクリーナー用粘着式ローラーの巻き方向に対し、一皮方式破断線付きクリーナー用粘着式ローラーの巻き数に比例した円周長に任意の長さを追加した長さの間隔で、一皮方式破断線を入れた粘着シートをクリーナー用粘着式ローラーとして巻きつけた状態の断面を示す拡大図である。
ａは最上層の粘着シート、ｂは二層目の粘着シート、ｃは三層目の粘着シート、１ａ〜１ｃはホットメルト又はその他の粘着剤の塗布面、２ａ〜２ｃは紙、３ａ〜３ｃはポリエチレン系フィルム、４ａ〜４ｃはシリコン系又は非シリコン系剥離剤の塗布面、５ａ〜５ｃは切り込みを示す。
【実施例３】
【００１３】  図３は、一皮方式破断線付きクリーナー用粘着式ローラーの巻き方向に対し、一皮方式破断線付きクリーナー用粘着式ローラーの巻き数に比例した円周長から任意の長さだけ短くした長さの間隔で、一皮方式破断線を入れた粘着シートをクリーナー用粘着式ローラーとして巻きつけた状態の断面を示す拡大図である。
ａは最上層の粘着シート、ｂは二層目の粘着シート、ｃは三層目の粘着シート、１ａ〜１ｃはホットメルト又はその他の粘着剤の塗布面、２ａ〜２ｃは紙、３ａ〜３ｃはポリエチレン系フィルム、４ａ〜４ｃはシリコン系又は非シリコン系剥離剤の塗布面、５ａ〜５ｃは切り込みを示す。
【産業上の利用可能姓】
【００１４】  本発明の一皮方式破断線付きクリーナー用粘着式ローラーは、わずかな力で粘着シートを破談させることができるため、粘着シートに無理な力がかからずスムーズに粘着しーとをきりはなすことができることから、顧客満足度が高まり、市場の要求が高まることが予想されるため、産業上の利用可能性が極めて高いものである。
【図面の簡単な説明】
【図１】  ミシン目のない破断線を有することを特徴とする一皮方式破断線付きクリーナー用粘着式ローラーの粘着シートの一皮方式破断線の断面を示す拡大図である。
【図２】  一皮方式破断線付きクリーナー用粘着式ローラーの巻き方向に対し、一皮方式破断線付きクリーナー用粘着式ローラーの巻き数に比例した円周長に任意の長さを追加した長さの間隔で、一皮方式破断線を入れた粘着シートをクリーナー用粘着式ローラーとして巻きつけた状態の断面を示す拡大図である。
【図３】  一皮方式破断線付きクリーナー用粘着式ローラーの巻き方向に対し、一皮方式破断線付きクリーナー用粘着式ローラーの巻き数に比例した円周長から任意の長さだけ短くした長さの間隔で、一皮方式破断線を入れた粘着シートをクリーナー用粘着式ローラーとして巻きつけた状態の断面を示す拡大図である。
【符号の説明】  １、１ａ、１ｂ、１ｃ；  ホットメルト又はその他の粘着剤の塗布面
２、２ａ、２ｂ、２ｃ；  紙
３、３ａ、３ｂ、３ｃ；  ポリエチレン系フィルム
４、４ａ、４ｂ、４ｃ；  シリコン系又は非シリコン系剥離剤の塗布面
５、５ａ、５ｂ、５ｃ；  切り込み
ａ；  最上層の粘着シート
ｂ；  二層目の粘着シート
ｃ；  三層目の粘着シート
【図１】
2013180194.tif 000003
【図２】
2013180194.tif 000004
【図３】
2013180194.tif 000005